(57)【特許請求の範囲】
【請求項１】
脱ガス運転中に、フィラメントと、グリッドと、コレクタを有する熱陰極電離真空計を制御する制御方法であって、
前記グリッドに吸収されたガスを飛ばすのに十分な電力レベルまで、前記熱陰極電離真空計に印加する電力が増加する間、コレクタ電流値と、前記フィラメントと前記グリッドの間を流れる電子電流値と、感度係数値の関数として、前記熱陰極電離真空計内のガス圧を測定及び監視する工程と、
前記グリッドに印加するグリッド電圧と、前記フィラメントと前記グリッドの間を流れる電子電流と、前記熱陰極電離真空計内のガス圧と、を含む前記熱陰極電離真空計の運転パラメータを監視する工程と、
前記熱陰極電離真空計内のガス圧を計測するために使用される前記感度係数値を、前記グリッド電圧と、前記フィラメントと前記グリッドの間を流れる前記電子電流と、前記熱陰極電離真空計内のガス圧と、を含む特定の運転条件下で、精密な圧力の計算を提供する特定の前記感度係数値に調整する工程と、
測定された前記熱陰極電離真空計内のガス圧を、前記グリッドに吸収されたガスを飛ばすのに必要な電力レベルで、グロー放電が前記熱陰極電離真空計に損傷を与えることを避けるために、予め定めた安全な圧力上限と比較する工程と、
予め定めた安全な前記圧力上限を超えて、前記熱陰極電離真空計内のガス圧が増加するのを回避する比率で、前記グリッドに吸収されたガスを飛ばし続けるための電力レベルまで、前記熱陰極電離真空計に供給する電力を調整する工程を有していることを特徴とする制御方法。
【請求項２】
予め定めたセトルタイム中に前記熱陰極電離真空計内のガス圧が前記圧力上限未満である場合、脱ガスのための電力レベルを増加する工程を含むことを特徴とする請求項１に記載の制御方法。
【請求項３】
予め定めたセトルタイム中に前記熱陰極電離真空計内のガス圧が前記圧力上限未満であり、且つ、予め定めた最終的脱ガス条件を満たさない場合、脱ガスのための前記電力レベルを増加する工程を含むことを特徴とする請求項１に記載の制御方法。
【請求項４】
前記最終的脱ガス条件が、予め定めた時間中に、前記熱陰極電離真空計に予め定めた最
大限の電力を印加する工程を含むことを特徴とする請求項３に記載の制御方法。
【請求項５】
脱ガスのための前記電力レベルを増加することが、脱ガスのための前記電力レベルを段階的に増加する工程を含むことを特徴とする請求項１に記載の制御方法。
【請求項６】
測定された前記熱陰極電離真空計内のガス圧が、予め定めた安全な前記圧力上限を超えたとき、脱圧ガスのための前記電力レベルを減少する工程を含むことを特徴とする請求項１に記載の制御方法。
【請求項７】
測定された前記熱陰極電離真空計内のガス圧の増加の変化割合を監視する工程と、
測定された前記熱陰極電離真空計内のガス圧が予め定めた前記圧力上限まで増加する場合、それを測定された前記熱陰極電離真空計内のガス圧の増加の変化割合から判断する工程と、
前記熱陰極電離真空計内のガス圧の変化割合から、前記熱陰極電離真空計内のガス圧が前記圧力上限まで増加すると判断された場合、前記熱陰極電離真空計に供給される前記電力レベルの増加の割合を減少させる工程を含むことを特徴とする請求項１に記載の制御方法。
【請求項８】
予め定めた前記最終的脱ガス条件に到達したとき、前記熱陰極電離真空計に供給する電力を、前記グリッドに吸収されたガスを飛ばすために必要な電力レベルより下げて、脱ガス運転を終了する工程を含むことを特徴とする請求項４に記載の制御方法。
【請求項９】
予め定めた安全な前記圧力上限が、５×１０−５Ｔｏｒｒであることを特徴とする請求項１に記載の制御方法。
【請求項１０】
前記グリッドへ電圧を印加して、電流を流して、前記熱陰極電離真空計に供給された前記電力レベルを増加する工程を含むことを特徴とする請求項１に記載の制御方法。
【請求項１１】
前記グリッド電圧の増加と、前記フィラメントと前記グリッドの間を流れる前記電子電流の増加により、前記熱陰極電離真空計に供給された前記電力レベルを増加する工程を含むことを特徴とする請求項１に記載の制御方法。
【請求項１２】
脱ガス運転中に、フィラメントと、グリッドと、コレクタを有する熱陰極電離真空計を制御するシステムであって、
前記グリッドに吸収されたガスを飛ばすのに十分な電力レベルまで、前記熱陰極電離真空計に印加する電力が増加する間、コレクタ電流値と、前記フィラメントと前記グリッドの間を流れる電子電流値と、感度係数値の関数として、前記熱陰極電離真空計内のガス圧を測定及び監視する手段と、
前記グリッドに印加するグリッド電圧と、前記フィラメントと前記グリッドの間を流れる電子電流と、前記熱陰極電離真空計内のガス圧と、を含む前記熱陰極電離真空計の運転パラメータを監視する手段と、
前記熱陰極電離真空計内のガス圧を計測するために使用される前記感度係数値を、前記グリッド電圧と、前記フィラメントと前記グリッドの間を流れる前記電子電流と、前記熱陰極電離真空計内のガス圧と、を含む特定の運転条件下で、精密な圧力の計算を提供する特定の前記感度係数値に調整する手段と、
測定された前記熱陰極電離真空計内のガス圧を、前記グリッドに吸収されたガスを飛ばすのに必要な電力レベルで、グロー放電が前記熱陰極電離真空計に損傷を与えることを避けるために、予め定めた安全な圧力上限と比較する手段と、
予め定めた安全な前記圧力上限を超えて、前記熱陰極電離真空計内のガス圧が増加するのを回避する比率で、前記グリッドに吸収されたガスを飛ばし続けるための電力レベルま
で、前記熱陰極電離真空計に供給する電力を調整する手段を有していることを特徴とするシステム。
【請求項１３】
互いに隣接配置されたフィラメントと、グリッドと、コレクタを有する熱陰極電離真空計の脱ガスオペレーティングシステムであって、
前記脱ガスオペレーティングシステムは、
前記グリッドに接続され、前記グリッドに供給するグリッド電圧の調整を制御システムからの入力により制御することが可能なグリッド電源と、
前記フィラメントに接続され、前記フィラメントに印加する電圧の調整、及び前記フィラメントと前記グリッドの間を流れる電子電流の調整をフィラメント電源制御装置からの入力により制御することが可能なフィラメント電源と、
前記フィラメントと前記フィラメント電源制御装置に接続され、前記フィラメントと前記グリッドの間を流れる前記電子電流の表示情報を検出し、表示情報を前記フィラメント電源制御装置に入力する電子電流センサと、
前記コレクタと前記制御システムに接続され、コレクタ電流を検出し、前記コレクタ電流を前記制御システムに入力するコレクタ電流センサと、を有し、
前記制御システムは、前記グリッド電源に接続され、前記グリッド電圧を制御する信号を、前記グリッド電源に入力し、また、前記フィラメント電源制御装置に接続され、フィラメント電圧と電子電流レベルの信号を、前記フィラメント電源に入力し、
前記制御システムは、
（１）前記コレクタ電流センサのコレクタ電流値と、前記フィラメントと前記グリッドの間を流れる前記電子電流の値と、感度係数値を含む入力から、前記熱陰極電離真空計内のガス圧の計算と監視を行うことと、
（２）更新された前記グリッド電圧と、前記フィラメントと前記グリッドの間を流れる前記電子電流と、前記熱陰極電離真空計内のガス圧の圧力値を含む、監視される運転条件の少なくとも一部を基礎として、前記感度係数値の最適値を求め、最適な前記感度係数値を、前記熱陰極電離真空計内のガス圧の計算のために使用することと、
（３）前記熱陰極電離真空計内のガス圧を、前記熱陰極電離真空計に損傷を与えることを避けるために、予め定めた安全な圧力上限と比較することと、
（４）前記熱陰極電離真空計内のガス圧が、予め定めた安全な前記圧力上限より小さいとき、前記熱陰極電離真空計に印加される電力を増加することと、
（５）前記熱陰極電離真空計内のガス圧が、予め定めた安全な前記圧力上限より大きいとき、前記熱陰極電離真空計に印加される電力を減少すること
をプログラムされていることを特徴とする脱ガスオペレーティングシステム。
【請求項１４】
前記グリッド電源が、前記制御システムからの信号により、前記グリッドに印加する前記グリッド電圧及び前記グリッドを流れる電流を、増加及び減少を制御することを特徴とする請求項１３に記載の脱ガスオペレーティングシステム。
【請求項１５】
前記フィラメント電源制御装置が、前記制御システムからの信号により、前記フィラメントに印加する電圧の増加及び減少と、前記フィラメントと前記グリッドの間を流れる前記電子電流の増加及び減少を制御することを特徴とする請求項１３に記載の脱ガスオペレーティングシステム。
【請求項１６】
前記制御システムが、
前記熱陰極電離真空計に印加される電力のレベルを監視することと、
監視されている前記熱陰極電離真空計に印加される電力のレベルを、予め定めた時間内に、十分な程度の脱ガスが行われる予め定めた最大限の電力レベルと比較することと、
監視されている電力のレベルが最大限の電力レベルに到達したとき、予め定めた時間の間、最大限の電力レベルで維持するための信号を発信することと、
前記グリッドに吸収されたガスを飛ばすのに十分な電力レベルより低くなるように、前記熱陰極電離真空計に供給する電力を減少する信号を発信すること
をプログラムされていることを特徴とする請求項１３に記載の脱ガスオペレーティングシステム。
【請求項１７】
前記制御システムが、
前記熱陰極電離真空計内の計測されたガス圧が、増加する変化率を監視することと、
計測された前記熱陰極電離真空計内のガス圧が、予め定めた安全な前記圧力上限まで増加した場合、前記熱陰極電離真空計内の計測された前記熱陰極電離真空計内のガス圧が増加する変化率を判定することと、
前記熱陰極電離真空計内のガス圧が前記圧力上限まで増加することが、前記熱陰極電離真空計内のガス圧の変化率から決定された場合、前記熱陰極電離真空計に供給する電力レベルが増加する変化率を減少させること
をプログラムされていることを特徴とする請求項１３に記載の脱ガスオペレーティングシステム。
【発明の詳細な説明】
【技術分野】
【０００１】
本発明は、全体として熱陰極電離真空計に関する。特に、本発明は、熱陰極電離真空計の脱ガス運転を制御するためのシステムである。
【背景技術】
【０００２】
熱陰極電離真空計（ベヤードアルパート真空計等）は一般に真空容器の超低圧（１０−３Ｔｏｒｒ未満等）の測定に用いられる。これらのタイプの真空計は周知で、例えば、Ｈａｒｖｅｙの米国特許第３，５７６，４６５号およびＢｉｌｌｓ他の米国特許第５，２５０，９０６号等に開示される。これら真空計の各種特徴は、次の刊行物にも記載されている。Ａ．Ｂｅｒｍａｎ、「Ｔｏｔａｌ  Ｐｒｅｓｓｕｒｅ  Ｍｅａｓｕｒｅｍｅｎｔｓ  ｉｎ  Ｖａｃｕｕｍ  Ｔｅｃｈｎｏｌｏｇｙ」、１６８頁−１７１頁および１９０頁−１９３頁、１９８５年；Ｊ．Ｍ．Ｌａｆｆｅｒｔｙ、「Ｆｏｕｎｄａｔｉｏｎｓ  ｏｆ  Ｖａｃｕｕｍ  Ｓｃｉｅｎｃｅ  ａｎｄ  Ｔｅｃｈｎｏｌｏｇｙ」、４１４頁−４１９頁、１９８８年；Ａ．Ｒｏｔｈ，「Ｖａｃｕｕｍ  Ｔｅｃｈｎｏｌｏｇｙ」第２版、３１２頁−３１９頁；Ｐ．Ａ．Ｒｅｄｈｅａｄ他、「Ｔｈｅ  Ｐｈｙｓｉｃａｌ  Ｂａｓｉｓ  ｏｆ  Ｕｌｔｒａｈｉｇｈ  Ｖａｃｕｕｍ」、米国物理学会、３０７頁−３０８頁、１９９３年；およびＲ．Ｎ．Ｐｅａｃｏｃｋ、「Ｔｏｔａｌ  Ｐｒｅｓｓｕｒｅ  Ｇａｕｇｉｎｇ  Ｔｅｃｈｎｉｑｕｅｓ」、ＨＰＳ  Ｄｉｖｉｓｉｏｎ  ｏｆ  ＭＫＳ  Ｉｎｓｔｒｕｍｅｎｔ，Ｉｎｃ．，  Ｂｏｕｌｄｅｒ．ｃｏ，１９８８年。
【０００３】
簡潔に言うと、熱陰極電離真空計は、しばしば測定子に封入されるフィラメント、グリッドおよびコレクタを含む。運転中、グリッド電源によってグリッドに電圧（一般に約１８０ｖ）を印加し、フィラメント電源によってフィラメントにバイアス電圧（一般に約３０ｖ）を印加する。機器制御システムによって設定および制御される電子電流（一般に約０．１−１０ｍＡ）がフィラメントとグリッドの間を流れる。このような運転状態で、真空計の圧力に比例する大きさの電流がコレクタを流れることになる。感度係数として知られる比例定数の値は、真空計の幾何形状および運転パラメータと、室内の気体の種類を含む多数の要因によって決まる。測定中の圧力と真空計の運転パラメータとの関係は次の式によって定義される。
Ｐ＝Ｉｃ／ＫＩｅ
ここで、Ｐ＝測定中の圧力
Ｉｃ＝コレクタ電流
Ｉｅ＝電子電流
Ｋ＝感度係数
【０００４】
上記に一覧した参照文献に記載されるように、その測定精度を強化するためには真空計を定期的に「脱ガス」する必要がある。脱ガス運転によって、真空計のグリッドその他構造に吸着したガスを取り除く。これらの吸着ガスを除去しないと、これらが、測定中に様々な電子またはイオンプロセスを介して測定（電離）ボリューム内に放出されることがある。この放出ガスは真空計またはシステムボリューム内では当初、気相ではなかったため、その収集によって紛らわしい成分や誤差項が測定に加わることになる。
【０００５】
脱ガス運転の実行には一般に２つの方法が用いられる。これらは電子衝撃（ＥＢ）方法および通電加熱（Ｉ２Ｒ）方法として知られる。いずれの方法も、一定の最終的脱ガス条件を満たすまで（所定期間中３Ｗ、またはグリッド内で熱／温度または色を得るだけの所定の電力等）、真空計に増加電力レベル（一般的な測定モード運転条件以上）を適用することが含まれる。この加熱は一般に、照明した室内で見た時、構造を可視オレンジ色にす
るのに充分なものである。電子衝撃方法の脱ガス運転中、グリッド電圧は通常運転電圧より高い固定値に上げる（２−４倍で３００ｖから６００ｖの間等）一方、電子電流Ｉｅを代表的な運転電流より高い固定値に上げる（約１０倍で約２０ｍＡ等）。この運転中、グリッドは電子の衝撃により有効に加熱される。ＥＢ方法を用いる脱ガス運転中、真空計に適用される電力は、次の公式によって計算する。
ＷＥＢ＝Ｉｅ（Ｖｇ−Ｖｆｂ）
ここで、ＷＥＢ＝ＥＢ脱ガス中に真空計に適用される電力
Ｉｅ＝電子電流
Ｖｇ＝グリッド電圧
Ｖｆｂ＝フィラメントバイアス電圧
【０００６】
通電加熱方法の脱ガス運転中、グリッドに電流（約２Ａ等）を通すことによりグリッドは抵抗加熱される。Ｉ２Ｒ方法を用いる脱ガス運転中、真空計に適用される電力は次の公式によって計算される。
ＷＩ２Ｒ＝Ｉｇ２Ｒ
ここで、ＷＩ２Ｒ＝Ｉ２Ｒ脱ガス中に真空計に適用される電力
Ｉｇ＝グリッド電流
Ｒ＝グリッドの抵抗
【０００７】
上述の通り、脱ガス運転中に真空計構造からそれた吸着ガスは、真空計の示す圧力に加えられる。不幸なことに、熱陰極電離真空計は、比較的高い圧力（約５×１０−５Ｔｏｒｒより高い圧力等）で脱ガスされると損傷しやすい。そのため、安全な運転閾値を超えて圧力が増加するのを防ぐのに充分な速度での脱ガス運転中、真空計を取り付けたシステムの真空ポンピングがそれたガスを抜くことができないと、正常運転中の真空計が損傷する可能性がある。管内に形成されるグロー放電による真空計陰極のコーティングの剥離や除去は、比較的高圧での脱ガスに起因するこの種の損傷の例である。
【０００８】
この種の損傷を防ぐため、真空計制御システムは一般に、真空計の測定する圧力を連続的に監視するか、測定圧力が所定の安全圧力上限を超えると脱ガス運転を終了あるいは真空計運転も共に終了するという自動「遮断」機能を含む。このような状況での遮断防止に役立てるため、一部の真空計制御システムは、脱ガス運転電力レベル（グリッド電圧または電子電流）を最終的脱ガス電力値まで徐々に上げる。しかしながら、このような制御システム機能によっても、圧力上限を超えることがあり、その場合、システムは自動的に遮断される。感度係数がグリッド電圧、電子電流、真空計動作圧によって変化することから、脱ガス運転には圧力測定の誤差や関連する複雑性が増す。
【０００９】
この種の制御システムによって脱ガス運転が終了されたり、真空計運転が終了されたりすると、運転の再開にはオペレータによる動作が必要になるのが一般的である。この必要性は、真空計の出力を監視して取り付けた真空システムの制御に利用している時、大きな不利益となる。真空計を停止すると、圧力測定を必要とする他の真空システムコンポーネントが不要に遮断されることがある。脱ガス運転（真空計運転でなく）を終了する状況では、正確な圧力測定に必要な脱ガス機能が完全に実行されていないことがある。その結果、その後の圧力測定が不正確になる可能性がある。さらに、脱ガス運転が無事に完了したかどうか制御システムがオペレータに指示したり表示したりしないことがしばしばあるため、オペレータは脱ガス運転の過圧遮断があったことに気づかないことさえ多い。
【００１０】
そのため、熱陰極電離真空計の改良脱ガスシステムが継続的に必要とされている。特に、脱ガス運転または真空計自体を遮断する可能性を最小限にしながら、真空計を有効に脱ガスできる制御システムおよび方法が必要とされている。商業的に実現可能とするには、このようなシステムは効率的に実装可能でなければならない。また、そのシステムは、起動した後のオペレータの行動をほとんど必要としないものであるのが望ましい。
【発明の概要】
【発明が解決しようとする課題】
【００１１】
本発明は、熱陰極電離真空計の実装効率よく有効な脱ガスシステムである。
【課題を解決するための手段】
【００１２】
本発明の実施例は、真空計に脱ガス電力レベルを適用すること、ゲージ圧を決定すること、およびゲージ圧の関数として脱ガス電力レベルを制御することが含まれる。脱ガス電力レベルの制御には、ゲージ圧が所定の圧力上限に達しないようにするため、ゲージ圧の関数としての脱ガス電力レベルの増減を含むことができる。
【００１３】
ある実施例では、ゲージ圧の関数としての脱ガス電力レベルの制御には、ゲージ圧が所定のセトルタイム中、ゲージ圧が圧力上限未満の場合、脱ガス電力レベルを上げることが含まれる。ゲージ圧が圧力上限より大きい場合、脱ガス電力レベルを下げる。電力レベルの増減は、段階的に行うことができる。
【００１４】
別の実施例では、ゲージ圧の関数としての脱ガス電力レベルの制御は、ゲージ圧の増加の変化率の監視と、ゲージ圧の変化率から、ゲージ圧が圧力上限まで上がるか否か判断することと、変化率からゲージ圧が圧力上限まで上がると判断された場合、電力レベル増加を下げることを含む。
【００１５】
本発明のさらに別の実施例では、脱ガス運転は最終的脱ガス条件が満たされるまで継続する。ディスプレイを起動して、脱ガス運転が無事終了したことを表示することができる。圧力超過状態が検出された場合、脱ガス運転の終了も表示することができる。
【図面の簡単な説明】
【００１６】
【図１】熱陰極電離真空計の略図と、本発明にかかる真空計脱ガス運転の実行に用いることができるゲージ供給/制御システムのブロック図である。
【図２】本発明にかかる脱ガス運転実行のための制御アルゴリズムのフローチャートである。
【発明を実施するための形態】
【００１７】
図１は、真空システム９に取り付けられ、真空計脱ガスのため本発明に従って運転することができる脱ガスオペレーティングシステム１０に相互接続された熱陰極電離真空計８のブロック図である。真空計８は、グリッド１２、フィラメント１４、およびコレクタ１６を含み、これらはすべて測定子１８に封入される。真空計８の他の実施例（図示せず）は、真空システム９に直接挿入される電極構造を有する。脱ガスオペレーティングシステム１０の図示の実施例は、グリッド電源２０、フィラメント電源２２、バイアス電源２５、フィラメント電源制御装置２４、電子電流（Ｉｅ）センサ２６、コレクタ電流（Ｉｃ）センサ２８、および制御システム３０を含む。脱ガスオペレーティングシステム１０は、通常圧力監視モードと、本発明にかかる脱ガスモードとの両方で真空計８を運転するよう制御可能である。下記に述べる制御システム３０の脱ガスモード機能を除き、制御システム３０の機能（すなわち、圧力監視モード中）と脱ガスオペレーティングシステム１０および真空計８の構成部品は、従来の設計および運転でよい。
【００１８】
制御システム３０は、ディスプレイ、メモリ、およびデジタル・アナログ変換器（別途図示せず）を含むマイクロプロセッサ・ベースのシステムでよい。制御システム３０を接続し、制御信号をグリッド電源２０、フィラメント電源２２、バイアス電源２５、およびフィラメント電源制御装置２４に送る。制御システム３０からの制御信号に対応し、グリッド電源２０は、真空計８のための指定のグリッド電圧を生成する。通常圧力監視運転中、脱ガスオペレーティングシステムは一般にグリッド電源２０を約１８０ボルトで運転せしめ、バイアス電源２５を約３０ボルトで運転せしめる。フィラメント電源２２は指定のフィラメント電圧を生成し、バイアス電源２５によって大地に対してバイアスをかけたフィラメントを加熱し、グリッド１２に電子電流を供給する。フィラメント電源２２は、制
御システム３０から受ける制御信号によってオン・オフする。フィラメント電源２２が供給する電子電流は、制御システム３０から受ける制御信号に対応してフィラメント電源制御装置２４によって制御する。通常の圧力監視運転中、電子電流は一般に０・１−１０ｍＡの範囲となる。実際の電子電流は電子電流センサ２６が測定し、測定値はフィラメント電源制御装置２４が用いて、制御システム３０の指定する電子電流を維持する。実際のコレクタ電流の測定値は、コレクタ電流センサ２８によって制御システム３０に送られる。通常圧力監視運転中、制御システム３０は、発明の背景部分で上記説明したような従来の方法で、真空計測定子１８内の圧力を計算することができる。圧力監視運転のパラメータ（感度係数Ｋを含む）と制御アルゴリズムは、制御システム３０のメモリ（図示せず）に格納することができる。
【００１９】
本発明の実施例は、様々な真空計運転条件における感度係数Ｋを記述する格納データを含む。格納データは、例えば、様々な運転条件における感度係数値のルックアップ・テーブルの形式でも、感度係数と運転条件との間の数学的関係を記述するデータでもよい。様々なゲージ運転条件の例には、脱ガス運転中の真空計のグリッド電圧および電子電流値（脱ガス電力レベル等）を含む。脱ガス運転中に真空計が露出される条件に対応する感度係数の関数としてゲージ圧を計算することにより、圧力決定精度を強化することができる。
【００２０】
制御システム３０の実施例は、本発明にかかる脱ガス運転中、グリッド電源２０、フィラメント電源２２、およびフィラメント電源制御装置２４を制御するようプログラムする。センサ２６および２８による電子電流およびコレクタ電流の測定値は制御パラメータとして用いる。感度係数および電力変化ステップを含む、脱ガス運転中に制御システム３０が用いるパラメータは、メモリに格納できる。本発明にかかる脱ガス運転中、オペレーティングシステム１０は、真空計８に適用される電力の増加を、ゲージ圧が所定の圧力上限を超えないよう、測定ゲージ圧の関数として制御せしめる。一般に、このような電力増加は、所定の最終的脱ガス電力条件が満たされるまで継続する。
【００２１】
図２は、本発明にかかる脱ガス運転を実行するための１方法のブロック図である。オペレータは一般に、制御システム３０のスイッチその他インタフェース（図示せず）を起動することにより脱ガス運転を開始する（ステップ４０）。すると、真空計８に適用された電力は、装置が通常の圧力監視運転中に動作する電力レベルより多い所定量または所定速度で増加する。この電力レベル増加ステップを全体として４２に示す。例えば電子衝撃（ＥＢ）脱ガス運転中は、制御システム３０は一般にグリッド電源２０を３００−６００ボルトの所定の電圧範囲で動作させる。その後のステップ４２における電力増加は、脱ガス運転中、フィラメント電源２２に電子電流を増加せしめることによって達成できる。
【００２２】
ある実施例では、ステップ４２の電力増加は段階的ステップ（例えば、約０．１Ｗの増分）で行い、増加の間にセトルタイム（約１秒等）を置いて、真空計８の圧力が平衡値に達することができるようにする。そして真空計８内の圧力を、ステップ４４に示すように制御システム３０によって計算する。監視圧力が所定の「安全な」圧力上限（５×１０−５Ｔｏｒｒ等）未満の場合（ステップ４６）だが、セトルタイムが経過していない場合（ステップ４８）、これらステップ４４−４８を繰り返す。実際、真空計８内の圧力は、セトルタイム中、定期的に（1秒毎等）監視できる。いつでも、ステップ４６において監視圧力が圧力上限を超えたと判断されれば、脱ガス電力をステップ５０に示すように下げることができる。ある実施例では、脱ガス電力をステップ５０で０．１Ｗステップで下げる。圧力超過状態は、脱ガスプロセスに無関係なシステム故障によって生じる場合もある。
【００２３】
従って、制御システム３０はステップ５１で他の真空システムの故障やオーバーライドが発生しているか否かを判断する。アクティブな場合、真空計をステップ５５でオフにして、損傷を防止する。他のシステム故障がステップ５１で特定されない場合、システムは真空計監視ステップ４４に戻る。
【００２４】
測定圧力が、セトルタイム中、圧力上限未満にとどまり、３Ｗ等の所定の最大真空計電力に達しなかった場合（ステップ５３）、脱ガス電力をステップ４２で再び増加し、監視ステップ４４−４８を繰り返す。所定の最終的脱ガス条件を満たすまで（所定期間で、脱ガス電力が３Ｗに増加した等）、このような電力増加および圧力監視ステップ４２−４８を繰り返す（ステップ５２）。最終的脱ガス条件を満たすと、ステップ５４に示すように脱ガス運転を終了する。制御システム３０はまた、ディスプレイを起動して、脱ガス運転が無事終了したことを示すことができる。ステップ５３で、最大真空計電力に達したと判断された場合、制御システム３０は真空計監視ステップ４４に戻る。
【００２５】
脱ガス運転中、制御システム３０の脱ガス機能は、上述の段階的脱ガス電力の増加を実行する際、デジタル・ポテンショメータとして有効に作用する。この制御およびフィードバック機能はまた、アナログ制御ループ、パルス幅変調（ＰＷＭ）その他デジタル・アナログ変換アプローチによっても実行できる。
【００２６】
本発明の他の実施例では、制御システム３０は、現在のゲージ圧とゲージ圧の変化率の両方を監視および計算しながら、脱ガス電力を上げる。脱ガス電力は、この実施例では連続して上げることができる。いつでも、監視される圧力変化率に基づき、ゲージ圧が圧力上限を超えるかもしれないと判断された場合は、脱ガス電力レベルの増加を制御システム３０によって下げることができる（脱ガス電力レベル増加を緩やかにするか、電力レベルを一定に保つか、下げる等）。すなわち、制御システム３０によって様々な制御アルゴリズムをインプリメントして、本発明の脱ガス運転を提供することができる。
【００２７】
本発明による脱ガス運転は多くの重要な利点を提供する。電力増加を監視圧力の関数として制御することにより、真空計をオフにしたり、脱ガス運転を終了したりしなければならないような圧力超過状況に真空計がさらされる可能性を最小限にすることができる。これにより、真空計の通常運転中の圧力測定精度を向上することができる。圧力超過状況に遭遇した場合、オペレータはシステムの取る是正措置を正確に通知されることができる。脱ガス機能はまた、真空計の脱ガスオペレーティングシステムに効率的に実装することができる。
【００２８】
本発明を好適な実施例を参照して説明したが、当業者は、本発明の精神および範囲を逸脱することなく形式および詳細を変更可能なことを理解するであろう。例として、実施例は、電子衝撃方法の脱ガス技術と関連して説明したが、本発明は通電加熱方法の脱ガス技術と関連しても用いることができる。
【符号の説明】
【００２９】
８ 熱陰極電離真空計
９ 真空システム
１０ 脱ガスオペレーティングシステム
１２ グリッド
１４ フィラメント
１６ コレクタ
２０ グリッド電源
２２ フィラメント電源
２４ フィラメント電源制御装置
２５バイアス電源
２６ 電子電流（Ｉｅ）センサ
２８ コレクタ電流（Ｉｃ）センサ
３０制御システム
Ｋ 感度係数
【図１】
0005302346.tif 000002
【図２】
0005302346.tif 000003